(57)【特許請求の範囲】
【請求項１】
毛細管現象を引き起こす間隔で複数の微細突起を配列してなる微細液送構造体であって、
前記微細突起が一列に並び、かつ、隣接する前記微細突起の間隙を液送路とする単位列が周期的に列設され、
前記単位列ごとに、前記液送路のうち少なくとも一つを、他の液送路よりも流動抵抗を相対的に低減させた低流動抵抗液送路とするとともに、
前記低流動抵抗液送路を所定の液送方向に沿って配置したことを特徴とする微細液送構造体。
【請求項２】
前記単位列間に形成される列間液送路の流動抵抗を、前記低流動抵抗液送路の流動抵抗よりも相対的に低減させたことを特徴とする請求項１に記載の微細液送構造体。
【請求項３】
前記低流動抵抗液送路を除く他の液送路を形成して隣接する前記微細突起の当該液送路の出口側に、ピン止め効果を発現するエッジ部を形成することで、
前記低流動抵抗液送路の流動抵抗を、他の液送路の流動抵抗よりも相対的に低減させた請求項１又は２に記載の微細液送構造体。
【請求項４】
前記液送路を形成して隣接する前記微細突起の前記液送路の出口側に、ピン止め効果を発現するエッジ部を形成し、
前記低流動抵抗液送路を除く他の液送路を形成して隣接する前記微細突起に形成した前記エッジ部のピン止め角を、
前記低流動抵抗液送路を形成して隣接する前記微細突起に形成した前記エッジ部のピン止め角よりも小さくすることで、
前記低流動抵抗液送路の流動抵抗を、他の液送路の流動抵抗よりも相対的に低減させた請求項１又は２に記載の微細液送構造体。
【請求項５】
前記低流動抵抗液送路を除く他の液送路を形成して隣接する前記微細突起の当該液送路側の部位に疎水処理を施すことで、
前記低流動抵抗液送路の流動抵抗を、他の液送路の流動抵抗よりも相対的に低減させた請求項１又は２に記載の微細液送構造体。
【請求項６】
前記低流動抵抗液送路の断面積を、
前記低流動抵抗液送路を除く他の液送路の断面積よりも大きくすることで、
前記低流動抵抗液送路の流動抵抗を、他の液送路の流動抵抗よりも相対的に低減させた請求項１又は２に記載の微細液送構造体。
【請求項７】
請求項１〜５のいずれか一項に記載の微細液送構造体を備え、前記微細液送構造体により推進力を得て分析対象を含む調製液を液送することを特徴とする分析装置。
【発明の詳細な説明】
【技術分野】
【０００１】
本発明は、液体を移送する推進力として毛細管現象を利用する微細液送構造体に関し、特に、液体の移送方向を任意に制御することができる微細液送構造体、及びそのような微細液送構造体を備えた分析装置に関する。
【背景技術】
【０００２】
例えば、特許文献１には、毛細管現象を引き起こす間隔で複数の微細突起を配置して、毛細管現象を液体の移送のための推進力として利用する液体の流動システムを構成する微細構造が提案されている。
また、非特許文献１では、このような毛細管現象を利用した流動システム（キャピラリポンプ）において、液体の流動性を制御することが検討されている。
【先行技術文献】
【特許文献】
【０００３】
【特許文献１】特表２００５−５３２１５１号公報
【非特許文献】
【０００４】
【特許文献２】Ｃａｐｉｌｌａｒｙ  ｐｕｍｐｓ  ｆｏｒ  ａｕｔｏｎｏｍｏｕｓ  ｃａｐｉｌｌａｒｙ  ｓｙｓｔｅｍｓ；Ｌａｂ  ｏｎ  ａ  Ｃｈｉｐ，２００７，７，１１９−１２５
【発明の開示】
【発明が解決しようとする課題】
【０００５】
しかしながら、本発明者らが検証したところ、非特許文献１の流動システムにあっても液体の流動性を再現性よく制御するには不十分であった。例えば、非特許文献１に例示されたキャピラリポンプの内部を液体が流動していく様子の一例を図１０に示すが、非特許文献１の流動システムにあっては、図１０に示すように、液送方向に偏りが生じてしまうことがあり、同様の図が、非特許文献１のＦｉｇ．４（ａ）にも示されている。【０００６】
本発明者らが鋭意検討を重ねたところ、このような液送方向の偏りが生じてしまうのは、隣接するそれぞれの微細突起の間を液体が流動するにあたり、その流動抵抗に差がなく、液送方向が定まらないことに起因するのではないかと考えるに至った。【０００７】
本発明は、上記の事情に鑑みなされたものであり、毛細管現象を引き起こす間隔で複数の微細突起を配列してなる微細液送構造体において、微細突起の間に形成される液送路の流動抵抗に差をつけることによって、液送方向を任意に制御できるようにした微細液送構造体、及びそのような微細液送構造体を備えた分析デバイスの提供を目的とする。
【課題を解決するための手段】
【０００８】
本発明に係る微細液送構造体は、毛細管現象を引き起こす間隔で複数の微細突起を配列してなる微細液送構造体であって、前記微細突起が一列に並び、かつ、隣接する前記微細突起の間隙を液送路とする単位列が周期的に列設され、前記単位列ごとに、前記液送路のうち少なくとも一つを、他の液送路よりも流動抵抗を相対的に低減させた低流動抵抗液送路とするとともに、前記低流動抵抗液送路を所定の液送方向に沿って配置した構成としてある。【０００９】
本発明に係る分析装置は、上記したような微細液送構造体を備え、前記微細液送構造体により推進力を得て分析対象を含む調製液を液送する構成としてある。
【発明の効果】
【００１０】
本発明によれば、毛細管現象を引き起こす間隔で複数の微細突起を配列してなる微細液送構造体によって液送の推進力を得るにあたり、その液送方向に偏りが生じることなく、液送方向を再現性よく任意に制御することができる。
【図面の簡単な説明】
【００１１】
【図１】本発明の実施形態に係る分析装置の一例を示す斜視図である。
【図２】本発明の実施形態に係る分析装置の一例を示す分解斜視図である。
【図３】本発明の実施形態に係る分析装置の一例における検出部の説明図である。
【図４】本発明の実施形態に係る分析装置の一例における基板の概略平面図である。
【図５】本発明の実施形態に係る微細液送構造体の一例について、その要部を拡大して示す概略平面図である。
【図６】ピン止め効果について説明する説明図である。
【図７】本発明の実施形態に係る微細液送構造体の一例において、液体が流動していく様子を示す説明図である。
【図８】本発明の実施形態に係る微細液送構造体の一例において、液送方向を任意に誘導する例を示す説明図である。
【図９】本発明の実施形態に係る分析装置の一例における検出部の他の例についての説明図である。
【図１０】従来の微細液送構造体の一例において、液体が流動していく様子を示す説明図である。
【発明を実施するための形態】
【００１２】
以下、本発明の好ましい実施形態について、図面を参照しつつ説明する。
【００１３】
［分析装置］
図１は、本実施形態に係る分析装置の一例を示す斜視図であり、図２は、その分解斜視図である。
これらの図に示す例において、分析装置１は、イムノクロマトグラフィー法によるインフルエンザ診断キットとして構成され、基板２と、基板２の表面を覆うカバー体３と、インフルエンザ抗原と結合する金コロイド標識抗体を含浸させたコンジュゲートパッド４と、分析後の残液を吸収させる吸収パッド５とを備えている。
【００１４】
基板２の表面には、コンジュゲートパッド当接部４ａ、第１キャピラリポンプ部６ａ、液送流路部７、検出部８、第２キャピラリポンプ部６ｂ、及び吸収パッド当接部５ａが形成されている。
【００１５】
検出部８には、金コロイド標識抗体と結合したインフルエンザ抗原を捕捉する捕捉抗体を塗布したテスト流路８ａと、インフルエンザ抗原が結合していない金コロイド標識抗体を捕捉する捕捉抗体を塗布したコントロール流路８ｂが設けられている。テスト流路８ａは、例えば、図３に示すように、広幅浅底に形成して、その底面に捕捉抗体ＣＡを塗布することで、金コロイド標識抗体と結合したインフルエンザ抗原ＬＡを捕捉し易くすることができる。特に図示しないが、コントロール流路８ｂも同様とすることができる。
なお、図３（ｂ）は、図３（ａ）のＡ−Ａ断面図である。
【００１６】
また、第１キャピラリポンプ部６ａと第２キャピラリポンプ部６ｂは、分析対象を含む調製液を液送する推進力として毛細管現象を利用する微細液送構造体によって構成されるが、かかる微細液送構造体については後述する。
【００１７】
なお、図４は、基板２の概略平面図であり、図中網点で示されている部位に微細液送構造体が形成される。基板２は、微細形状を良好に転写形成することができれば、ポリジメチルシロキサン等の紫外線硬化性、熱硬化性又は二液硬化性樹脂を用いてキャスト成形により成形してもよく、ポリメチルメタアクリレート、ポリスチレン、ポリカーボネート、シクロオレフィンコポリマー、シクロオレフィンポリマー等の熱可塑性樹脂を用いて射出成形、ナノインプリント等により成形してもよい。また、ガラスやシリコンを用いてエッチング、超精密機械加工等によって成形してもよい。
【００１８】
カバー体３は、樹脂製又はガラス製とすることができ、基板２の表面に形成された検出部８を透視できる程度に透明であるのが好ましい。かかるカバー体３は、一端側に形成された切欠き部４ｂ，５ｂに、コンジュゲートパッド４と吸収パッド５のそれぞれを保持しつつ、第１キャピラリポンプ部６ａ、液送流路部７、検出部８（テスト流路８ａ及びコントロール流路８ｂ）、第２キャピラリポンプ部６ｂを封止するようにして基板２に接合される。
【００１９】
このとき、カバー体３で封止された第１キャピラリポンプ部６ａが、コンジュゲートパッド当接部４ａ側に開口するように、コンジュゲートパッド当接部４ａは、第１キャピラリポンプ部６ａの底面と同じ深さか、それよりも若干深くなるように形成する。これにより、当該開口を介して、コンジュゲートパッド４と第１キャピラリポンプ部６ａとが接続される。
【００２０】
同様に、吸収パッド当接部５ａは、カバー体３で封止された第２キャピラリポンプ部６ｂが、吸収パッド当接部５ａ側に開口するように、第２キャピラリポンプ部６ｂの底面と同じ深さか、それよりも若干深くなるように形成する。これにより、当該開口を介して、吸収パッド５と第２キャピラリポンプ部６ｂとが接続される。
【００２１】
このような分析装置１を用いて、被験者がインフルエンザに感染しているか否かを診断するには、まず、被験者から採取した鼻汁などの検体（分析対象）を含む検体調製液をコンジュゲートパッド４に滴下する。
コンジュゲートパッド４に滴下された検体調製液は、コンジュゲートパッド４から浸み出して第１キャピラリポンプ部６ａに浸入する。そして、検体調製液は、毛細管現象を推進力として第１キャピラリポンプ部６ａ内を進行して液送流路部７に送られる。液送流路部７に送られた検体調製液は、液送流路部７内を毛細管現象により流動して、その流路上に形成された検出部８に送られる。
【００２２】
検出部８を通過した検体調製液の残液は、第２キャピラリポンプ部６ｂに達すると、その毛細管現象を推進力として第２キャピラリポンプ部６ｂ内を進行する。
このとき、検体調製液の流動長が増加すると、これに伴って流動抵抗も累積的に増加して検体調製液の液送速度が低下するが、第２キャピラリポンプ部６ｂを図示するような末広がり状に形成し、後述する微細液送構造体において微細突起６０間に形成される液送路６１の数が流動方向に沿って増加していくようにすることで、流動抵抗による液送速度の低下を抑制することができる。このようにすることで、外部ポンプを使用することなく、検体調製液を一定の流量で液送することができ、再現性の高い分析（診断）が可能になる。
検体調製液の残液は、第２キャピラリポンプ部６ｂ内を進行した後に吸収パッド５に吸収される。
【００２３】
検体調製液をコンジュゲートパッド４に滴下すると、コンジュゲートパッド４に含浸された金コロイド標識抗体が検体調製液に溶出する。そして、患者がインフルエンザに感染していれば、検体調製液にはインフルエンザ抗原が含まれており、検体調製液に溶出した金コロイド標識抗体の一部がインフルエンザ抗原と結合し、インフルエンザ抗原が結合していない残りの金コロイド標識抗体とともに、液送流路部７の流路上に形成された検出部８に送られる。
【００２４】
前述したように、検出部８には、金コロイド標識抗体と結合したインフルエンザ抗原を捕捉する捕捉抗体を塗布したテスト流路８ａと、インフルエンザ抗原が結合していない金コロイド標識抗体を捕捉する捕捉抗体を塗布したコントロール流路８ｂが設けられている。したがって、検体調製液が検出部８を通過した後に、コントロール流路８ｂにだけ金コロイド粒子による発色が視認されれば、被験者はインフルエンザに感染していないと診断でき、テスト流路８ａにも金コロイド粒子による発色が視認されれば、被験者はインフルエンザに感染していると診断できる。
【００２５】
［微細液送構造体］
次に、前述した分析装置１において、液送の推進力として毛細管現象を利用して、分析対象を含む調製液を液送する微細液送構造体について説明する。
【００２６】
図５は、本実施形態に係る微細液送構造体の一例について、その要部を拡大して示す概略平面図である。かかる微細液送構造体にあっては、複数の微細突起６０が一列に並び、かつ、隣接する微細突起６０の間隙を液送路６１とする単位列が周期的に列設され、それぞれの微細突起６０の間隔が、毛細管現象を引き起こす間隔（例えば、一つの単位列において隣接する微細突起６０の間の間隔が１〜１０００μｍ、隣接する単位列間の間隔が１〜１０００μｍ）となるように配列されている。
【００２７】
なお、図５に示す例では、微細突起６０は縦１２０μｍ、横３０μｍ、高さ３０μｍとし、一つの単位列において隣接する微細突起６０の間の間隔を３０μｍ、隣接する単位列間の間隔を６０μｍとした。前述した分析装置１において、微細突起６０の高さは、本実施形態に係る微細液送構造体からなる第１キャピラリポンプ部６ａ、第２キャピラリポンプ部６ｂの底面の深さに相当し、微細突起６０の先端はカバー体３に密接する。これにより、微細突起６０の周囲の空間がカバー体３によって封止される。
【００２８】
また、本実施形態では、一つの単位列に形成された液送路６１と、これに隣接する単位列に形成された液送路６１とが、図示するように互い違いに位置するように微細突起６０を均等に配列している。このようにすることで、一つの単位列に形成された液送路６１を毛細管現象によって液体が通過し、その液面が隣接する単位列の微細突起６０に接触すると、これらの単位列の間を毛細管現象によって液体が拡がっていくことを繰り返す。そして、上記配列とすることで、毛細管現象による液体の液送路は並列回路状に形成されることになり、液送路を直列回路状に形成した場合に比べて流動抵抗を低減することができるため、毛細管現象を利用した液送の推進力が効率よく得られるようになる。
【００２９】
また、図５に示す例において、液送路６１を形成して隣接する微細突起６０には、それぞれの液送路６１の出口側に、ピン止め効果を発現するエッジ部６２を形成してある。
ここで、ピン止め効果とは、図６に示すように、接触角θで平面を進行してきた液面がエッジ部に達すると（図６（ａ）参照）、当該液面は、平面とエッジ部の外側の面とのなす角をαとしたときに、接触角がθ+（π−α）となるまで（図６（ｂ）参照）、エッジ部を乗り越えられなくなる現象をいい、本実施形態では、このときの平面とエッジ部の外側の面とのなす角度αをピン止め角と定義する。
【００３０】
図５に示す例にあっては、液送路６１の出口側に形成されたエッジ部６２のピン止め角を適宜設定することで、一つの単位列において、それぞれの微細突起６０の間に形成される液送路６１のうち少なくとも一つを、他の液送路６１ｂよりも流動抵抗を相対的に低減させた低流動抵抗液送路６１ａとしている。
【００３１】
すなわち、低流動抵抗液送路６１ａを除く他の液送路６１ｂを形成して隣接する微細突起６０ｂ，６０ｃの当該液送路６１ｂの出口側に形成したエッジ部６２ｂのピン止め角を、低流動抵抗液送路６１ａを形成して隣接する微細突起６０ａ，６０ｂの当該低流動抵抗液送路６１ａの出口側に形成したエッジ部６２ａのピン止め角よりも小さくすることで、低流動抵抗液送路６１ａの流動抵抗を、他の液送路６１ａの流動抵抗よりも相対的に低減させている。
【００３２】
なお、図５に示す例では、微細突起６０ａを矩形状とし、両端にピン止め角９０°のエッジ部６２ａが形成されるようにした。また、微細突起６０ｂは、一端にピン止め角９０°のエッジ部６２ａが形成され、他端にピン止め角４５°のエッジ部６２ｂが形成されるようにし、微細突起６０ｃは、両端にピン止め角４５°のエッジ部６２ｂが形成されるようにした。エッジ部６２ａ，６２ｂの先端には、ピン止め効果の発現を妨げてしまわない程度にＲを付けてもよい。
【００３３】
また、図５に示す例では、単位列ごとに、液送路６１のうち少なくとも一つを、他の液送路６１ｂよりも流動抵抗を相対的に低減させた低流動抵抗液送路６１ａとするとともに、低流動抵抗液送路６１ａが所定の液送方向に沿って配置されるように、微細突起６０ａ，６０ｂ，６０ｃを配列している。これとともに、隣接する単位列間の間隔を適宜調整する（例えば、低流動抵抗液送路６１ａを形成して隣接する微細突起６０ａ，６０ｂ間の間隔を考慮して広くする）などして、単位列間に形成される列間液送路６１ｃの流動抵抗を、低流動抵抗液送路６１ａの流動抵抗よりも相対的に低減させている。
【００３４】
このようにすることで、図７に示すように、一つの単位列に形成された液送路６１のうち、流動抵抗の低い低流動抵抗液送路６１ａを液体が優先的に通過し（図７（ａ）〜（ｃ）参照）、これをきっかけにして、毛細管現象によって次の単位列との間に形成される列間液送路６１ｃに液体が広がっていくが（図７（ｃ）〜（ｅ）参照）、列間液送路６１ｃの流動抵抗が最も低いため、列間液送路６１ｃが液体で満たされるまで、液体の先端は、次の単位列とその次の単位列との間に形成される列間液送路６１ｃには進行しない（図７（ｅ）参照）。そして、列間液送路６１ｃが液体で満たされると、次の単位列の低流動抵抗液送路６１ａを液体が優先的に通過し（図７（ｆ）参照）、この繰り返しによって液体が流動していく（図７（ｆ）〜（ｈ）参照）。
これにより、本実施形態によれば、液送方向に偏りが生じることなく、毛細管現象を利用して液送する際の流動性を再現性よく良好に制御することができる。
【００３５】
また、前述した分析装置１では、第１キャピラリポンプ部６ａと第２キャピラリポンプ部６ｂを、それぞれ二等辺三角形状に形成し、その頂点から底辺に下した垂線に沿って低流動抵抗液送部６１ａを配置することにより、微細液送構造体による毛細管現象を利用した液送の推進力が効率よく得られるようにしてあるが、低流動抵抗液送部６１ａの配置は、所望の液送方向に応じて適宜設定することができる。
例えば、図８（ａ）に示すように、液送方向をカーブさせたい場合や、図８（ｂ）に示すように、液送方向を二以上の方向に分岐させたい場合には、図中点線で示す方向に沿って低流動抵抗液送部６１ａを配置することで、液送方向を任意の方向に誘導することができる。
【００３６】
このように、本実施形態によれば、毛細管現象を引き起こす間隔で複数の微細突起を配列してなる微細液送構造体によって液送の推進力を得るにあたり、その液送方向に偏りが生じることなく、液送方向を再現性よく任意に制御することができる。
【００３７】
以上、本発明について、好ましい実施形態を示して説明したが、本発明は、前述した実施形態に限定されるものではなく、本発明の範囲で種々の変更実施が可能であることは言うまでもない。
【００３８】
例えば、前述した微細液送構造体に係る実施形態では、低流動抵抗液送路６１ａの流動抵抗を、他の液送路６１ｂの流動抵抗よりも相対的に低減させるために、液送路６１を形成して隣接する微細突起６０の当該液送路６１の出口側に、ピン止め効果を発現するエッジ部６２を形成し、エッジ部６２のピン止め角を適宜設定することで、低流動抵抗液送路６１ａの流動抵抗を、他の液送路６１ｂの流動抵抗よりも相対的に低減させているが、これに限定されない。
低流動抵抗液送路６１ａの流動抵抗を、他の液送路６１ｂの流動抵抗よりも相対的に低減させるには、例えば、次のようにしてもよい。
【００３９】
１）他の液送路６１ｂを形成して隣接する微細突起６０だけに、当該液送路６１ｂの出口側にピン止め効果を発現するエッジ部６２を形成し、例えば、低流動抵抗液送路６１ａを形成して隣接する微細突起の当該液送路６１ａの出口側の形状は、ピン止め効果を発現しないＲ形状とするなどして、低流動抵抗液送路６１ａの流動抵抗を、他の液送路６１ｂの流動抵抗よりも相対的に低減させる。
２）他の液送路６１ｂを形成して隣接する微細突起６０の液送路６１ｂ側の部位に疎水処理を施して流動抵抗を高めることで、低流動抵抗液送路６１ａの流動抵抗を、他の液送路６１ｂの流動抵抗よりも相対的に低減させる。
３）低流動抵抗液送路６１ａの断面積を大きくすることで、低流動抵抗液送路６１ａの流動抵抗を、他の液送路６１ｂの流動抵抗よりも相対的に低減させる。
【００４０】
また、単位列間に形成される列間液送路６１ｃの流動抵抗を、低流動抵抗液送路６１ａの流動抵抗よりも相対的に低減させるにあたり、前述した実施形態では、隣接する単位列間の間隔を適宜調整する例を挙げているが、これに限定されない。上記１）〜３）に示した手法などを用いて、列間液送路６１ｃの流動抵抗を、低流動抵抗液送路６１ａの流動抵抗よりも相対的に低減させてもよい。
【００４１】
また、微細突起６０の形状は前述した実施形態に限定されず、本発明の効果を妨げない範囲で適宜設計できる。
【００４２】
また、前述した分析装置に係る実施形態では、検出部８に設けたテスト流路８ａとコントロール流路８ｂを広幅浅底に形成して、その底面に捕捉抗体を塗布した例について説明したが、これに限定されない。図９に示すように、検出部８に設けたテスト流路８ａとコントロール流路８ｂにも前述したような微細液送構造体を形成して、これらの流路８ａ，８ｂを通過する検体調製液の液送方向を制御するようにしてもよい。このとき、微細突起６０にも捕捉抗体ＣＡを塗布しておくことで、例えば、テスト流路８ａにあっては、金コロイド標識抗体と結合したインフルエンザ抗原ＬＡをより捕捉し易くなるとともに、金コロイド標識抗体と結合したインフルエンザ抗原ＬＡが微細突起６０の高さ方向に沿っても捕捉されるため、金コロイド粒子による発色がより視認し易くなる。
なお、図９（ｂ）は、図９（ａ）のＢ−Ｂ断面図である。
【００４３】
また、前述した分析装置に係る実施形態では、インフルエンザ診断キットを一例に挙げて説明したが、これに限定されない。液送手段として外部ポンプを用いることなく、分析対象を含む調製液を液送するのに毛細管現象を推進力として利用することが求められる種々の分析装置に適用することができる。
【実施例】
【００４４】
次に、具体的な実施例を挙げて、本発明をより詳細に説明する。【００４５】
［実施例］
フォトリソグラフィー法により微細加工を施して作製したモールド型に、ポリジメチルシロキサン（東レ・ダウコーニング社製ＳＩＬＰＯＴ１８４；硬化剤との重量比１０：１）をキャスティングし、図５に示す例と同一の配列のキャピラリポンプ（微細液送構造体）が表面に転写形成された基板を成形した。このようにして得られた基板の表面に、カバー体として大型スライドガラス（松浪硝子工業社製）をポリジメチルシロキサンの自己吸着で密着させてキャピラリポンプを封止した。【００４６】
［比較例１］
全ての微細突起を、図５に示す例における微細突起６０ａと同じものとして配列されたキャピラリポンプを基板表面に転写形成した以外は、実施例１と同様にした。【００４７】
［比較例２］
全ての微細突起を、図５に示す例における微細突起６０ｃと同じものとして配列されたキャピラリポンプを基板表面に転写形成した以外は、実施例１と同様にした。【００４８】
［評価］
３％ＴＲＩＴＯＮ−Ｘ１００（ダウケミカル社製）を調整液に用いて、カバー体に設けた投入口から滴下量５μＬで滴下した。キャピラリポンプ内を毛管力で流動する調製液をデジタルマイクロスコープ（キーエンス社製ＶＨＫ−１０００）で撮影して、キャピラリポンプを調製液が通過する時間を測定し、流量のバラツキ（ＣＶ）を算出した。測定は５回行い、その平均値を表１に示す。上記ＣＶが５％以下である場合、安定した送液が可能な良好な微細液送構造体として評価を「○」とし、上記ＣＶが５％を超えるものの評価を「×」として表１に併せて示した。【００４９】
【表１】
0006601416.tif 000002
【産業上の利用可能性】
【００５０】
本発明は、インフルエンザ診断キットなどの医療分野における分析装置に限らず、種々の分野における分析装置に適用して利用することができる。【００５１】
この明細書に記載の文献及び本願のパリ優先権の基礎となる日本出願明細書の内容を全てここに援用する。
【符号の説明】
【００５２】
１          分析装置
６０（６０ａ，６０ｂ，６０ｃ）          微細突起
６１          液送路
６１ａ          低流動抵抗液送路
６１ｂ          他の液送路
６１ｃ          列間液送路
６２（６２ａ，６２ｂ）          エッジ部
【図１】
0006601416.tif 000003
【図２】
0006601416.tif 000004
【図３】
0006601416.tif 000005
【図４】
0006601416.tif 000006
【図５】
0006601416.tif 000007
【図６】
0006601416.tif 000008
【図７】
0006601416.tif 000009
【図８】
0006601416.tif 000010
【図９】
0006601416.tif 000011
【図１０】
0006601416.tif 000012